(57)【要約】  クリーンスーツは所定の生地（１２）で形作られる。生地（１２）の表側には導電性の表側カプラー（１９）が固着される。生地（１２）の裏側には導電性の裏側カプラー（２５）が固着される。裏側カプラー（２５）は表側カプラー（１９）に電気的に接続される。表側カプラー（１９）および裏側カプラー（２５）を通じてクリーンスーツ装着者の人体（Ｈ）と外部のアース線（４８）とは接続されることができる。こうして装着者の人体（Ｈ）で生じる静電気はアース線（４８）まで逃されることができる。装着者の腕にリストバンドは装着される必要はない。その結果、部品や製品の落下の懸念は払拭されることができる。
2009116148.tif 000002
【特許請求の範囲】
【請求項１】
生地の表側に固着されて、相手方のカプラーの取り付けを受け止める導電性の表側カプラーと、生地の裏側に固着されて表側カプラーに電気的に接続され、相手方のカプラーの取り付けを受け止める導電性の裏側カプラーとを備えることを特徴とするクリーンスーツ。
【請求項２】
請求項１に記載のクリーンスーツにおいて、前記表側カプラーはスナップであることを特徴とするクリーンスーツ。
【請求項３】
請求項１に記載のクリーンスーツにおいて、前記裏側カプラーはスナップであることを特徴とするクリーンスーツ。
【請求項４】
請求項１に記載のクリーンスーツにおいて、前記生地には、前記表側カプラーおよび裏側カプラーの少なくとも一方に接続される導電性繊維が挿入されることを特徴とするクリーンスーツ。
【請求項５】
請求項１に記載のクリーンスーツにおいて、前記生地は、使用者の胴体回りを覆う身頃部と、身頃部上端から左右両側に延びて、使用者の左右の腕回りを覆う１対の袖部と、身頃部下端に結合されて、使用者の左右の脚回りを覆うパンツ部とを備え、前記表側カプラーおよび裏側カプラーは、左右の脇腹に対応する位置に１対ずつ設置されることを特徴とするクリーンスーツ。
【請求項６】
請求項１に記載のクリーンスーツにおいて、前記生地は、使用者の胴体回りを覆う身頃部と、身頃部上端から左右両側に延びて、使用者の左右の腕回りを覆う１対の袖部と、身頃部下端に結合されて、使用者の左右の脚回りを覆うパンツ部とを備え、前記表側カプラーおよび裏側カプラーは、左右の肩に対応する位置に１対ずつ設置されることを特徴とするクリーンスーツ。
【請求項７】
クリーンスーツを形作る生地と、生地の表側に固着されて、相手方のカプラーの取り付けを受け止める導電性の表側カプラーと、生地の裏側に固着されて表側カプラーに電気的に接続される導電性の裏側カプラーと、一端に、裏側カプラーに取り付けられる取り付けカプラーを有し、他端に、人体に密着する導電性パッドを有し、裏側カプラーから導電性パッドまで導通を確立する内側アースストラップとを備えることを特徴とするクリーンスーツセット。
【請求項８】
請求項７に記載のクリーンスーツセットにおいて、前記表側カプラーはスナップであることを特徴とするクリーンスーツセット。
【請求項９】
請求項７に記載のクリーンスーツセットにおいて、前記裏側カプラーはスナップであることを特徴とするクリーンスーツセット。
【請求項１０】
請求項７に記載のクリーンスーツセットにおいて、前記生地には、前記表側カプラーおよび裏側カプラーの少なくとも一方に接続される導電性繊維が挿入されることを特徴とするクリーンスーツセット。
【請求項１１】
請求項７に記載のクリーンスーツセットにおいて、前記生地は、使用者の胴体回りを覆う身頃部と、身頃部上端から左右両側に延びて、使用者の左右の腕回りを覆う１対の袖部と、身頃部下端に結合されて、使用者の左右の脚回りを覆うパンツ部とを備え、前記表側カプラーおよび裏側カプラーは、左右の脇腹に対応する位置に１対ずつ設置されることを特徴とするクリーンスーツセット。
【請求項１２】
請求項７に記載のクリーンスーツセットにおいて、前記生地は、使用者の胴体回りを覆う身頃部と、身頃部上端から左右両側に延びて、使用者の左右の腕回りを覆う１対の袖部と、身頃部下端に結合されて、使用者の左右の脚回りを覆うパンツ部とを備え、前記表側カプラーおよび裏側カプラーは、左右の肩に対応する位置に１対ずつ設置されることを特徴とするクリーンスーツセット。
【請求項１３】
請求項７に記載のクリーンスーツセットにおいて、一端に、前記表側カプラーに取り付けられる取り付けカプラーを有し、他端に、アース線に接続される接続端子を有し、表側カプラーから接続端子まで導通を確立する外側アースストラップをさらに備えることを特徴とするクリーンスーツセット。
【発明の詳細な説明】
【技術分野】
【０００１】
本発明は、いわゆるクリーンルーム内で装着されるクリーンスーツに関する。
【背景技術】
【０００２】
静電気対策用リストバンドは広く知られる。リストバンドは帯体を備える。帯体には電極が支持される。電極にはアースストラップが接続される。アースストラップの一端には取り付けカプラーが取り付けられる。取り付けカプラーはリストバンドの電極に接続される。アースストラップの他端には接続端子が取り付けられる。接続端子は固定のアース線に接続される。帯体が作業者の手首に巻かれると、電極は作業者の皮膚に接触する。人体電圧は作業者の皮膚から電極に流れ込む。こうして静電気は作業者からアースに逃される。
【特許文献１】日本国実用新案登録第２５４１０２９号公報
【特許文献２】日本国実用新案登録第２５８４２２１号公報
【特許文献３】日本国特開昭６０−９９０２号公報
【発明の開示】
【０００３】
作業中、作業者は手を動かす。手の動きに応じてアースストラップは移動する。アースストラップが机上で作業対象の部品や製品に引っかかってしまうと、部品や製品の落下が懸念される。その他、アースストラップが部品や製品に接触してしまうと、アースストラップから部品や製品に塵埃が転写されてしまう。
【０００４】
本発明は、上記実状に鑑みてなされたもので、確実に部品や製品の落下を防止しつつ人体の帯電電圧を低減させることができるクリーンスーツを提供することを目的とする。
【０００５】
上記目的を達成するために、クリーンスーツは、生地の表側に固着されて、相手方のカプラーの取り付けを受け止める導電性の表側カプラーと、生地の裏側に固着されて表側カプラーに電気的に接続され、相手方のカプラーの取り付けを受け止める導電性の裏側カプラーとを備える。
【０００６】
こういったクリーンスーツでは生地の表側と裏側とで電気的導通が得られる。その結果、表側カプラーおよび裏側カプラーを通じてクリーンスーツ装着者の人体と外部のアース線とは接続されることができる。こうして装着者の人体で生じる静電気はアース線まで逃されることができる。装着者の腕にリストバンドは装着される必要はない。その結果、部品や製品の落下の懸念は払拭されることができる。
【０００７】
以上のようなクリーンスーツはクリーンスーツセットを提供することができる。クリーンスーツセットは、クリーンスーツを形作る生地と、生地の表側に固着されて、相手方のカプラーの取り付けを受け止める導電性の表側カプラーと、生地の裏側に固着されて表側カプラーに電気的に接続される導電性の裏側カプラーと、一端に、裏側カプラーに取り付けられる取り付けカプラーを有し、他端に、人体に密着する導電性パッドを有し、裏側カプラーから導電性パッドまで導通を確立する内側アースストラップとを備えればよい。
【図面の簡単な説明】
【０００８】
【図１】クリーンスーツの全体像を示す平面図である。
【図２】クリーンスーツの内側を概略的に示す拡大図である。
【図３】表側カプラーおよび裏側カプラーの拡大断面図である。
【図４】表側カプラーの拡大平面図である。
【図５】図３に対応し、第１および第２アースストラップが接続された際に表側カプラーおよび裏側カプラーを示す拡大断面図である。
【発明を実施するための最良の形態】
【０００９】
以下、添付図面を参照しつつ本発明の実施形態を説明する。【００１０】
図１はクリーンスーツ１１の一具体例を示す。クリーンスーツ１１は所定の生地１２から縫製される。クリーンスーツ１１の生地１２は、装着者の胴体回りを覆う身頃部１３を備える。身頃部１３の上端には襟口１４が区画される。襟口１４にはフード１５が結合される。【００１１】
身頃部１３の上端には、左右両側に延びて装着者の左右の腕回りを覆う１対の袖部１６が結合される。各袖部１６の先端には袖口１６ａが区画される。身頃部１３の下端にはパンツ部１７が結合される。いわゆる繋ぎが形成される。パンツ部１７は、装着者の左右の脚回りを覆う１対の筒部１８を備える。各筒部１８の先端には裾口１８ａが区画される。【００１２】
身頃部１３の背中側には、襟口１４からパンツ部１７に向かって切れ込み（図示されず）が入れられる。この切れ込みにはファスナーが取り付けられる。切れ込みから装着者は身頃部１３に進入することができる。このとき、装着者の両脚はパンツ部１７の筒部１８に通される。裾口１８ａから装着者の足は突き出る。装着者の両腕は袖部１６に通される。袖口１６ａから装着者の手は突き出る。ファスナーが上げられると、切れ込みは塞がれる。装着者の頭は襟口１４から突き出る。頭にはフード１５が被せられる。【００１３】
生地１２の表側には表側カプラー１９が取り付けられる。表側カプラー１９は、例えば左右の脇腹に対応する位置に１個ずつ固着される。その他、表側カプラー１９は、例えば左右の肩に対応する位置に１個ずつ固着されてもよい。表側カプラー１９は脇腹または肩のうち少なくともいずれかに対応する位置に設置されればよい。表側カプラー１９は導電性材料から成型されればよい。ここでは、例えばステンレス鋼や銅といった金属材料が用いられればよい。その他、導電性材料には導電性樹脂が用いられてもよい。【００１４】
図２に示されるように、生地１２の裏側には第１アースストラップ２１が接続される。第１アースストラップ２１の一端には取り付けカプラー２２が結合される。第１アースストラップ２１の他端には導電性アースパッド２３が結合される。導電性アースパッド２３と取り付けカプラー２２とはアースストラップワイヤー２４の働きで電気的に接続される。こうして取り付けカプラー２２から導電性アースパッド２３まで導通が確立される。導電性アースパッド２３は例えば樹脂製の支持体と、支持体の表面に積層される導電性ゲルとを備える。導電性ゲルはアースストラップワイヤー２４に電気的に接続される。導電性ゲルが人体に密着すると、人体の静電気は導電性ゲルから取り付けカプラー２２まで導かれる。【００１５】
図３に示されるように、生地１２の裏側には個々の表側カプラー１９に背中合わせに裏側カプラー２５が取り付けられる。裏側カプラー２５は導電性材料から成型されればよい。ここでは、例えばステンレス鋼や銅といった金属材料が用いられればよい。その他、導電性材料には導電性樹脂が用いられてもよい。いずれか１つの裏側カプラー２５には前述の取り付けカプラー２２が接続される。裏側カプラー２５および取り付けカプラー２２の間には電気の導通が確立される。【００１６】
表側カプラー１９および裏側カプラー２５の固着にあたって例えば表側カプラー１９は裏側カプラー２５にはめ込まれればよい。反対に、裏側カプラー２５が表側カプラー１９にはめ込まれてもよい。このとき、表側カプラー１９および裏側カプラー２５の間には生地１２が挟み込まれる。はめ込みにあたって表側カプラー１９および裏側カプラー２５の間で生地１２には開口２６が区画されればよい。表側カプラー１９および裏側カプラー２５は開口２６を通じて相互に直接に接触すればよい。その結果、表側カプラー１９および裏側カプラー２５は電気的に接続される。ただし、表側カプラー１９および裏側カプラー２５の間ではいかなる手段で電気的接続が確立されてもよい。【００１７】
表側カプラー１９は例えば雄スナップ２７を備える。雄スナップ２７は、生地１２の表側表面に重ね合わせられる円盤形の本体２７ａを備える。本体２７ａの中央から垂直方向に突起２７ｂが立ち上がる。突起２７ｂは先端に膨大部２８を有する。突起２７ｂには、膨大部２８および本体２７ａの間でくびれ２９が区画される。【００１８】
同様に、裏側カプラー２５は例えば雄スナップ３１を備える。雄スナップ３１は、生地１２の裏側表面に重ね合わせられる円盤形の本体３１ａを備える。本体３１ａの中央から垂直方向に突起３１ｂが立ち上がる。突起３１ｂは先端に膨大部３２を有する。突起３１ｂには、膨大部３２および本体３１ａの間でくびれ３３が区画される。【００１９】
取り付けカプラー２２は雌スナップ３４を備える。雌スナップ３４は例えば樹脂製筐体３５に埋め込まれる。雌スナップ３４は例えば雄スナップ３１の突起３１ｂを受け入れる窪み３６を有する。窪み３６には１対の棒ばね３７が組み込まれる。棒ばね３７は相互に平行に延びつつ窪み３６の入り口を横切る。棒ばね３７同士の間隔は突起３１ｂの膨大部３２よりも小さく設定される。同時に、棒ばね３７同士の間隔は突起３１ｂのくびれ３３よりも大きく設定される。棒ばね３７同士の間に突起３１ｂの膨大部３２が押し込まれると、棒ばね３７は外側に湾曲する。こうして膨大部３２は棒ばね３７同士の間に進入していく。膨大部３２が通過すると、くびれ３３は棒ばね３７同士の間に挟まれる。棒ばね３７は線形に復帰する。膨大部３２の抜けは防止される。こうして取り付けカプラー２２は裏側カプラー２５に着脱自在に固定される。なお、こういった雌スナップ３４および雄スナップ３１に基づく結合は前述の導電性アースパッド２３とアースストラップワイヤー２４との結合に用いられてもよい。【００２０】
図４に示されるように、生地１２には格子状に導電性繊維３９が挿入される。導電性繊維３９は生地１２中に編み込まれればよい。表側カプラー１９および裏側カプラー２５の間には導電性繊維３９が挟み込まれる。こうして導電性繊維３９は表側カプラー１９および裏側カプラー２５は電気的に接続される。その結果、クリーンスーツ１１の生地１２の静電気は表側カプラー１９から逃されることができる。クリーンスーツ１１の生地１２の帯電は防止されることができる。このとき、表側カプラー１９や裏側カプラー２５では、雄スナップ２７、３１の本体２７ａ、３１ａの直径は導電性繊維３９同士の間隔よりも大きく設定されればよい。こういった設定によれば、生地１２の位置に関係なく必ず表側カプラー１９および裏側カプラー２５の間には導電性繊維３９が挟み込まれることができる。確実に導通は確保されることができる。その他、こういった導電性繊維３９の利用に基づき表側カプラー１９および裏側カプラー２５の間で電気的接続が確立されてもよい。【００２１】
いま、クリーンスーツ１１が装着される場面を想定する。図５に示されるように、装着者はクリーンスーツ１１の裏側カプラー２５に第１アースストラップ２１の取り付けカプラー２２を結合する。同時に、装着者は例えば腹部Ｈの皮膚に導電性アースパッド２３の導電性ゲルを密着させる。こうして身体から裏側カプラー２５まで静電気の通電経路は確保される。【００２２】
その後、装着者はクリーンスーツ１１の表側カプラー１９に第２アースストラップ４１を接続する。この第２アースストラップ４１の一端には、前述の第１アースストラップ２１と同様に、表側カプラー１９に取り付けられる取り付けカプラー４２が結合される。表側カプラー１９および取り付けカプラー４２の間には電気の導通が確立される。第２アースストラップ４１の他端には接続端子４３が結合される。接続端子４３と取り付けカプラー４２とはアースストラップワイヤー４４の働きで電気的に接続される。こうして取り付けカプラー４２から接続端子４３まで導通が確立される。接続端子４３は例えばプラグ４６を備える。プラグ４６は例えば作業場に設置のジャック４７に差し込まれる。ジャック４７にはアース線４８が接続される。こうして接続端子４３はアース線４８に接続される。表側カプラー１９からアース線４８まで静電気の通電経路は確保される。その結果、装着者の人体で生じる静電気はアース線４８まで逃がされることができる。【００２３】
以上のようなクリーンスーツ１１によれば、第２アースストラップ４１は装着者の肩または脇腹からアース線４８まで延びる。したがって、作業中に装着者が手を動かしても、第２アースストラップ４１の移動は回避されることができる。第２アースストラップ４１と作業対象の部品や製品との接触は防止されることができる。部品や製品の落下の懸念は払拭されることができる。【００２４】
クリーンスーツ１１では、左右の脇腹に対応する位置や左右の肩に対応する位置に表側カプラー１９は設置される。したがって、左右いずれからも表側カプラー１９には第２アースストラップ４１が接続されることができる。アース線４８のジャック４７の配置に応じて左右の位置は適宜に選択されることができる。作業者は常に第２アースストラップ４１に邪魔されずに作業を実施することができる。
【図１】
2009116148.tif 000003
【図２】
2009116148.tif 000004
【図３】
2009116148.tif 000005
【図４】
2009116148.tif 000006
【図５】
2009116148.tif 000007
【国際調査報告】
2009116148.tif 000008
2009116148.tif 000009
2009116148.tif 000010
2009116148.tif 000011